(57)【要約】【課題】  簡単な構成により、スライド蝶番により支持された折戸でも確実に全開位置まで案内することができるようにした折戸用ガイド部材を提供する。【解決手段】  蝶番により接続された戸板から構成され、一側の戸板が開口部の一方の側縁にスライド蝶番により揺動可能に支持される折戸における他側の戸板の他側端に取り付けられ、開口部に設けられたレールに沿って開閉方向に走行するガイド部材２０であって、戸板に取り付けられる取付部材２１と、レール内を走行する走行部材２２と、一端側の第一軸２４が前記取付部材に接続され、他端側の第二軸２５が走行部材に接続される支持アーム２３と、を有し、支持アームの第二軸が、第一軸に対して平行にオフセットし、戸板の垂直方向視において戸板の他側方向に延出した位置に設けられていることにより、折戸の全開時及び全閉時において、スライド蝶番の回転軸と支持アームの第二軸とが、戸板同士を接続する蝶番の軸を挟んで鏡面対称位置に在るように、折戸用ガイド部材１０を構成する。【選択図】  図１
2014234683.tif 000002
【特許請求の範囲】
【請求項１】
蝶番により互いに接続された複数枚の戸板から構成され、一側の戸板が開口部の一方の側縁にスライド蝶番により揺動可能に支持される折戸における他側の戸板の前記他側端に取り付けられ、前記開口部に設けられたレールに沿って開閉方向に走行するガイド部材であって、
戸板に取り付けられる取付部材と、
レール内を走行する走行部材と、
一端側の第一軸が前記取付部材に接続され、他端側の第二軸が前記走行部材に接続される支持アームと、を有し、
前記支持アームの前記第二軸が、前記第一軸に対して平行にオフセットし、戸板の垂直方向視において戸板の前記他側方向にずれた位置に設けられていることにより、折戸の全開時及び全閉時において、前記スライド蝶番の回転軸と前記支持アームの前記第二軸とが、戸板同士の中心面を挟んで鏡面対称に位置する、
折戸用ガイド部材。
【請求項２】
前記支持アームは、前記第一軸が前記取付部材に垂直摺動可能に接続され、前記取付部材と前記第一軸との間に、前記支持アームをレールに付勢する付勢部材を備えた、請求項１に記載の折戸用ガイド部材。
【請求項３】
前記支持アームは、前記取付部材に前記第一軸を回転軸として揺動可能に接続されるとともに、前記第一軸に設けられた第一の係合部を有し、
前記取付部材は、前記第一の係合部に係合する第二の係合部を有し、
前記支持アームが、前記取付部材に対し前記付勢部材の付勢に対向する方向に移動した状態では前記第一の係合部と前記第二の係合部とが係合し、揺動不能となる一方、前記取付部材に対し前記付勢部材の付勢に従う方向に移動した状態では
前記第一の係合部と前記第二の係合部とが係合解除し、揺動可能となる、請求項２に記載の折戸用ガイド部材。
【請求項４】
前記第一軸における前記一端側部分は断面形状が円以外の特定形状であることにより前記第一の係合部を構成し、前記取付部材の前記第一軸の収容孔における前記他端側部分は断面形状が前記特定形状の回転を係止する形状であることにより前記第二の係合部を構成する、請求項３に記載の折戸用ガイド部材。
【請求項５】
前記ガイド部材が、前記レールを転動するガイドローラである、請求項１から４のいずれかに記載の折戸用ガイド部材。
【発明の詳細な説明】
【技術分野】
【０００１】
本発明は、蝶番により互いに接続された複数枚の戸板から構成され、一側の戸板が開口部の一方の側縁にスライド蝶番により揺動可能に支持される折戸における他側の戸板の他側端に取り付けられ、前記開口部に設けられたレールに沿って開閉方向に走行するガイド部材に関するものである。
【背景技術】
【０００２】
従来、例えば家具やクローゼット等の箱物収納体あるいは住宅の窓や各室間の出入り口等の開口部を開閉するために折戸が使用される。このような折戸は、蝶番により互いに接続された複数枚の戸板から構成され、一側の戸板が開口部の一方の側縁にスライド蝶番により揺動可能に支持されると共に、他側の戸板の他側端に取り付けられたガイド部材が、開口部に設けられたレールに沿って走行することにより、他側の戸板の他側端が開閉方向に案内される。
折戸は、レールに沿って走行部材が走行することにより、開口部の一側に向かって移動し、同時に折り畳まれて開口部を開放し、または展開されて開口部を閉鎖する。
【０００３】
より具体的には、図１０に示すように、折戸１は、一対の戸板２，３から構成されている。
一方の戸板２は、その左側縁が、スライド蝶番４により、開口部５の左側縁に対して揺動可能に支持されていると共に、その右側縁が、他方の戸板３の左側縁に対して、蝶番６により互いに揺動可能に支持されている。
【０００４】
他方の戸板３の右端付近の上端には、ガイド部材７が取り付けられている。
このガイド部材７は、図１１に示すように、取付部材７ａ，回転軸７ｂ及びガイドローラ７ｃから構成されている。
取付部材７ａは、略板状に構成されており、戸板３の表面に対して螺着される。
【０００５】
回転軸７ｂは、取付部材７ａが戸板３の表面に螺着されたとき、戸板３内に位置するように、取付部材７ａから戸板３内方向に凸出して配置され、取付部材７ａに対して回転可能に支持されている。
ガイドローラ７ｃは、回転軸７ｂの上端に一体的に固定されており、折戸１の開閉時には開口部５の上縁に沿って設けられたガイドレール８（図１０，１２参照、鎖線図示）に沿って走行する。
【０００６】
このような構成の折戸１によれば、全閉時には、図１０に示すように、戸板２及び３が床に対し垂直な同一平面内に位置するように展開して、開口部５を閉鎖している。
この状態から、戸板３に設けられた把手３ａを引くことにより、戸板３が手前（図１０にて矢印Ｘ方向）に引き出されると、戸板２も、その右端が手前に向かって移動しつつ、スライド蝶番４の回転軸の周りに揺動する。
これに伴って、戸板３の左端は、戸板２の右端と共に左方に揺動しながら、戸板３の右端は、ガイド部材７のガイドローラ７ｃがガイドレール８に沿って左方に走行する。これにより、戸板２及び３が互いに折り畳まれて、開口部５が開放される。
【発明の概要】
【発明が解決しようとする課題】
【０００７】
ここで、戸板３は、ガイド部材７の構造から、揺動軸、すなわち回転軸４ｂによる回転中心が戸板３の内部に位置し、その位置はガイド部材７の形状により限定される。一方、
戸板２は、スライド蝶番４の構造から、揺動軸は戸板２の外部に位置する。
このため、戸板２，３の蝶番６に対する揺動軸の位置が鏡面対称とはならず、戸板２，３が大きく開くと、図１１に示すように、戸板２及び戸板３が開閉方向に対して垂直にならない。従って、開口部５の開放幅が狭くなってしまう。
【０００８】
これに対して、戸板３の右端でガイド部材をスライド蝶番を介して支持することで、戸板３の揺動軸を、戸板２のスライド蝶番４による揺動軸と鏡面対称の位置に設定する構成が採用されているが、戸板３側にもスライド蝶番が必要となり、部品コスト及び組立コストが高くなってしまう。
また、全開位置付近の領域において、ガイドレール８の端部付近を図１２における下方向に曲げることによって、戸板２及び３が開閉方向に対してほぼ垂直な全閉位置まで揺動するように設計することも可能であるが、この場合もガイドレール８を曲げ加工する必要があり、コストが高くなってしまう。
【０００９】
本発明は、以上の点に鑑み、簡単な構成により、スライド蝶番により支持された折戸でも確実に全開位置まで案内することができるようにした折戸用ガイド部材を提供することを目的としている。
【課題を解決するための手段】
【００１０】
上記目的は、本発明の構成によれば、蝶番により互いに接続された複数枚の戸板から構成され、一側の戸板が開口部の一方の側縁にスライド蝶番により揺動可能に支持される折戸における他側の戸板の他側端に取り付けられ、開口部に設けられたレールに沿って開閉方向に走行するガイド部材であって、戸板に取り付けられる取付部材と、レール内を走行する走行部材と、一端側の第一軸が取付部材に接続され、他端側の第二軸が走行部材に接続される支持アームと、を有し、支持アームの第二軸が、第一軸に対して平行にオフセットし、戸板の垂直方向視において戸板の他側方向にずれた位置に設けられていることにより、折戸の全開時及び全閉時において、スライド蝶番の回転軸と支持アームの第二軸とが、戸板同士の中心面を挟んで鏡面対称に位置する、折戸用ガイド部材により、達成される。
【００１１】
本発明による折戸用ガイド部材は、好ましくは、支持アームは、第一軸が取付部材に垂直摺動可能に接続され、取付部材と第一軸との間に、支持アームをレールに付勢する付勢部材を備えている。
【００１２】
本発明による折戸用ガイド部材は、好ましくは、支持アームは、取付部材に第一軸を回転軸として揺動可能に接続されるとともに、第一軸に設けられた第一の係合部を有し、取付部材は、第一の係合部に係合する第二の係合部を有し、支持アームが、取付部材に対し付勢部材の付勢に対向する方向に移動した状態では第一の係合部と第二の係合部とが係合し、揺動不能となる一方、取付部材に対し付勢部材の付勢に従う方向に移動した状態では第一の係合部と第二の係合部とが係合解除し、揺動可能となる。
【００１３】
本発明による折戸用ガイド部材は、好ましくは、第一軸における一端側部分は断面形状が円以外の特定形状であることにより第一の係合部を構成し、取付部材の前記第一軸の収容孔における他端側部分は断面形状が特定形状の回転を係止する形状であることにより第二の係合部を構成する。
【００１４】
本発明による折戸用ガイド部材は、好ましくは、ガイド部材が、レールを転動するガイドローラである。
【発明の効果】
【００１５】
上記構成によれば、支持アームの第二軸が走行部材に接続されていることによって、走行部材は、戸板の他側方向に延出した位置に配置され、折戸の全閉時及び全開時においても、スライド蝶番の回転軸と支持アームの第二軸とが、戸板同士を接続する蝶番の軸に関して鏡面対称位置に位置することになる。従って、折戸の全開時に、各戸板が重なり合うことにより、開口部の開口幅が最大となる。
【００１６】
支持アームの第一軸が取付部材に垂直摺動可能に接続され、取付部材と第一軸との間に、支持アームをレールに付勢する付勢部材を備えている場合には、付勢部材によって支持アームの第一軸が垂直方向に押圧されるので、支持アームの第一軸に接続された走行部材がレールに対して圧接される。従って、走行部材がレールに対して安定して走行することにより、走行部材の走行の際に発生する無用な振動や音が抑制されることになる。
【００１７】
支持アームは、取付部材に第一軸を回転軸として揺動可能に接続されることにより、開口部に対する折戸の勝手方向に応じて、即ち左勝手または右勝手のいずれにおいても、戸板の他側方向に延出した位置に調整可能であるので、一種類のガイド部材により、左勝手でも右勝手でも対応することが可能である。
また、第一軸に設けられた第一の係合部を有し、取付部材は、第一の係合部に係合する第二の係合部を有し、支持アームが、取付部材に対し付勢部材の付勢に対向する方向に移動した状態では第一の係合部と第二の係合部とが係合し、揺動不能となる一方、取付部材に対し付勢部材の付勢に従う方向に移動した状態では第一の係合部と第二の係合部とが係合解除し、揺動可能となる場合には、戸板への取付前または取外し後は、支持アームが取付部材に対して第一軸の周りに揺動可能であるが、戸板への取付後は、支持アームが取付部材に対して付勢部材の付勢に対向する方向に移動することにより、支持アームが取付部材に対して揺動せず固定保持されることになる。
従って、戸板への取り付けられていない状態では、支持アームは、取付部材に対して揺動可能で、延出方向を任意に変更することができるので、折戸の勝手方向に応じて、支持アームの延出方向を調整することができる。
【００１８】
第一軸における一端側部分は断面形状が円以外の特定形状であることにより第一の係合部を構成し、取付部材の前記第一軸の収容孔における他端側部分は断面形状が特定形状の回転を係止する形状であることにより第二の係合部を構成する場合には、支持アームの第一軸における第一の係合部が、取付部材の収容穴に対して形状的に係合して、簡単な構造により、中心軸の周りに回転しないように保持される。
【００１９】
このようにして、本発明によれば、簡単な構成により、スライド蝶番により支持された折戸でも確実に全開位置まで案内することができるようにした折戸用ガイド部材を提供することができる。
【図面の簡単な説明】
【００２０】
【図１】本発明による折戸用ガイド部材の一実施形態を組み込んだ折戸の全閉状態を示す概略平面図である。
【図２】本発明による折戸用ガイド部材の一実施形態の構成を示す概略斜視図である。
【図３】図２の折戸用ガイド部材の構成を示す分解斜視図である。
【図４】図２の折戸用ガイド部材の取付状態における断面図である。
【図５】図４の折戸用ガイド部材における揺動軸の上部領域を示す拡大断面図である。
【図６】図４の折戸用ガイド部材における揺動軸の突条部を備えた領域及び取付部材における対応する領域を示す拡大断面図である。
【図７】図４の折戸用ガイド部材における支持アームの非取付時の揺動状態を示す拡大断面図である。
【図８】図４の折戸用ガイド部材における取付時の拡大断面図である。
【図９】図１に示した折戸の全開状態を示す概略平面図である。
【図１０】従来の折戸の一例の構成における全閉状態を示す概略平面図である。
【図１１】図１０の折戸の全開状態を示す概略平面図である。
【図１２】図１０の折戸で使用される折戸用ガイド部材の一例の構成を示す概略斜視図である。
【発明を実施するための形態】
【００２１】
図１は、本発明による折戸用ガイド部材の一実施形態を組み込んだ折戸の構成を示している。
図１に示すように、折戸１０は、一部が公知の構成であって、一対の戸板１１，１２から構成されている。
一方の戸板１１は、その左側縁が、スライド蝶番１３により、開口部１４の左側縁に対して揺動可能に支持されていると共に、その右側縁が、他方の戸板１２の左側縁に対して、蝶番１５により互いに揺動可能に支持されている。
すなわち、一方の戸板１１は、スライド蝶番１３により、また他方の戸板１２は、蝶番１５と戸板１１とを介してスライド蝶番１３により、開口部１４の左側縁に対して支持されている。
【００２２】
他方の戸板１２の右端付近の上部には、本発明によるガイド部材２０が取り付けられている。
ガイド部材２０は、図２〜図４に示すように、取付部材２１と、走行部材としてのガイドローラ２２と、支持アーム２３と、から構成されている。
【００２３】
取付部材２１は、例えばポリアセタール樹脂から構成されており、略板状の形状を有しており、図１に示すように、他方の戸板１２の右端上部の閉鎖時に内側となる表面に螺着される。
さらに、取付部材２１は、戸板１２への取付時に、図１に示すように、戸板１２内に位置するように、取付部材２１から凸出して配置される支持部２１ａを有している。
この支持部２１ａは、後述するように、支持アーム２３の揺動軸２４を受容する収容孔であるスリーブ部２１ｂを備えている。
【００２４】
ガイドローラ２２は、それ自体公知の構成であって、後述するように、支持アーム２３の先端に支持された床面に垂直な回転軸２５の周りに回転可能に支持されており、図１に示すように、開口部１４の上縁に沿って配置されたガイドレール１６に係合することにより、ガイドレール１６に沿って走行する。
【００２５】
支持アーム２３は、炭素鋼等の金属材料から構成されており、一端には、下方に向かって延びる第一軸としての床面に垂直な揺動軸２４を有すると共に、他端には、上方に向かって延びる第二軸としての床面に垂直な回転軸２５を有する。
揺動軸２４は、取付部材２１の支持部２１ａに形成されたスリーブ部２１ｂに嵌挿され、スリーブ部２１ｂに上下摺動可能且つ揺動可能に支持されている。
ここで、揺動軸２４は、図３に示すように、上端部２４ａが、断面略四角形状に形成されており、この部分が支持アーム２３の一端に設けられた略四角形状の取付穴２３ａに係合して取り付けられることにより、支持アーム２３に対して回転しないように固定されている。
【００２６】
さらに、揺動軸２４は、その上部領域２４ｂにおいて、図５に示すように、その断面が円形に形成されていると共に、上部領域２４ｂを除いた下方の領域において、図６に示すように、その周面に軸方向に延びる二本の突条部２４ｃを備えている。
これに対して、取付部材２１のスリーブ部２１ｂには、その上端付近に、揺動軸２４の突条部２１ｂに対応する係合溝２１ｃが形成されている。
そして、揺動軸２４がスリーブ部２１ｂ内に挿入され、図４に示すように、揺動軸２４が上方向に移動することにより、揺動軸２４の突条部２４ｃが取付部材２１の係合溝２１ｃに係合した状態では、揺動軸２４がその軸の周りに揺動せず、図７に示すように、揺動軸２４が下方向に移動することにより、突条部２４ｃが係合溝２１ｃから外れた状態では、揺動軸２４が揺動可能となる。
【００２７】
ここで、図示の場合、突条部２４ｃ及び係合溝２１ｃは、揺動軸２４の中心に関して反対側に、即ち互いに１８０度の角度間隔で配置されており、図７（Ａ）に示すように、支持アーム２３が取付部材２１の上縁に平行に左方に向かって延びる状態、または図７（Ｂ）に示すように、支持アーム２３が取付部材２１の上縁に平行に右方に向かって延びる状態においてのみ、突条部２４ｃと係合溝２１ｃとが係合し、支持アーム２３が下方に移動した状態で取付部材２１に対し揺動しないように保持される。
このように、揺動軸２４と回転軸２５とがオフセットしていることにより、ガイド部材２０を折戸１０の戸板１２に組み込んだとき、図１及び２に示すように、ガイドローラ２２の回転軸２５を、戸板１２の端縁に近接した位置に、すなわち折戸１０の全閉時と全開時のいずれにおいても、戸板１１におけるスライド蝶番１３の揺動中心１３ａと蝶番１５の軸を挟んで鏡面対称な位置に配置することができる。
【００２８】
さらに、揺動軸２４は、スリーブ２１ｂ内で、揺動軸２４の周りに嵌挿された付勢部材としての圧縮コイルバネ２６により、下方に向かって付勢され、この付勢に従う方向、すなわち下方に移動することで、突条部２４ｃが係合溝２１ｃから離脱して、係合解除される。
ここで、圧縮コイルバネ２６は、より詳細には、図４に示すように、揺動軸２４の下端に設けられたフランジ部２４ｄとスリーブ部２１ｂ内に設けられた下向きの段部２１ｄとの間に張架されている。
【００２９】
本発明による折戸用ガイド部材２０は、以上のように構成されており、ガイド部材２０単体では、即ちガイド部材２０を折戸１０の戸板１２に取り付ける前、または取り外した後には、揺動軸２４が、取付部材２１のスリーブ部２１ｃ内において、圧縮コイルバネ２６の弾性に基づいて、下方に向かって付勢されるので、揺動軸２４に設けられた突条部２４ｃは、取付部材２１の係合溝２１ｃと係合しない。
従って、支持アーム２３は、揺動軸２４と一体的に、揺動軸２４の軸の周りに揺動可能である。これにより、使用者は、ガイド部材２０を組み込むべき折戸１０の勝手方向即ち右勝手または左勝手に対応して、支持アーム２３を取付部材２１に対して揺動して、図７（Ａ）または（Ｂ）に示すように、支持アーム２３により支持されるガイドローラ２２の回転中心を戸板１２の端縁に近接して配置することができる。
【００３０】
ガイド部材２０を折戸１０の戸板１２に取り付ける場合には、戸板１２の勝手方向に応じて支持アーム２３の延びる方向を例えば図７（Ａ）に示すように選択し、続いて取付部材２１の支持部２１ｂを図８に示すように戸板１２の右端付近の上部に設けられた凹陥部１２ａ内に挿入し、取付部材２１を戸板１２の表面に螺着する。
この際、スリーブ部２１ｃの下端から下方に突出している揺動軸２４の下端が、戸板１２の凹陥部１２ａの底部に当接することにより、圧縮コイルバネ２６の張力に抗して上方に、すなわち付勢に対向する方向に移動される。これにより、揺動軸２４の突条部２４ｃがスリーブ部２１ｂの係合溝２１ｃに係合して揺動不能となり、支持アーム２３は、図１に示すように、戸板１２の右端側に延びる状態で固定される。
このとき、支持アーム２３により支持されるガイドローラ２２の回転軸２５は、戸板１１及び戸板１２の間の蝶番１５を通る中心面１５ａに関して、戸板１１を支持するスライド蝶番１３の回転軸１３ａと鏡面対称位置に位置することになる。
【００３１】
従って、折戸１０の全閉時には、図１に示すように、戸板１１及び１２が垂直な同一平面内に位置するように展開して、開口部１４を閉鎖している。
この状態から、戸板１２に設けられた把手１２ｂを持って、戸板１２が手前（図１にて矢印Ｘ方向）に引き出されると、戸板１１も、その右端が手前に向かって移動しつつ、スライド蝶番１３の回転軸の周りに揺動する。
これに伴って、戸板１２の左端は、戸板１１の右端と共に左方に揺動しながら、戸板１２の右端は、ガイド部材２０のガイドローラ２２がガイドレール１６に沿って左方に走行する。これにより、戸板１１及び１２が互いに折り畳まれて、開口部１４が開放される。
このとき、戸板１２の揺動を限定する回転軸２５は、戸板１１，１２の間の中心面１５ａに関して、戸板１１の揺動を限定する回転軸であるスライド蝶番１３の回転軸１３ａと鏡面対称の位置に在るので、戸板１１，１２は、図９に示すように、開口部１４の上縁に沿って延びるガイドレール１６に対して、ほぼ垂直になる。このため、戸板１１，１２はほぼ全開状態まで揺動し、開口部１４の開放幅がほぼ最大となる。なお、折戸１０の全開時及び全閉時の途中過程においてスライド蝶番１３の回転軸１３ａの位置は戸板１１の垂直範囲内で変化するが、回転軸２５は、少なくとも戸板１１，１２の折戸１０の全開時及び全閉時の両方において、戸板１１，１２の中心面１５ａを介して回転軸１３ａと鏡面対称の位置に在るように設定される。
【００３２】
ここで、折戸１０とは勝手方向が逆向きの折戸に対して、本発明による折戸用ガイド部材２０を組み込む場合には、取付前のガイド部材２０において、支持アーム２３を図７（Ｂ）に示すように揺動させて、他方の戸板に取り付ければ、同様にして支持アーム２３が他方の戸板の端縁に向かって延びることになり、一方の戸板の揺動軸であるスライド蝶番の回転軸と鏡面対称位置に、ガイド部材２０におけるガイドローラ２２の回転軸２５を配置することができる。
即ち、本発明による折戸用ガイド部材２０によれば、取り付けるべき折戸の勝手方向に対応して、二種類のガイド部材を用意する必要がなく、一種類のガイド部材２０を用意することにより、何れの勝手方向の折戸にもガイド部材２０を組み込むことができる。
【００３３】
さらに、ガイド部材２０は、折戸１０を戸枠に設置した状態において、支持アーム２３が、圧縮コイルバネ２６の張力に抗して少し上方に移動し、ガイドローラ２２が圧縮コイルバネ２６の付勢力によりガイドレール１６に付勢された状態になるように設定されている。このため、折戸１０の開閉時、ガイドローラ２２が常にガイドレール１６に圧接された状態で転動するため、がたつきや異音を生じることなく、円滑に折戸１０を開閉することができる。
【００３４】
このようにして、本発明による折戸用ガイド部材２０によれば、ガイドローラ２２の回転軸２５を、折戸１０の戸板１１，１２の間の中心面１５ａに関して、一方の戸板１１の回転軸であるスライド蝶番１３の回転軸１３ａと鏡面対称位置に設定することができるので、折戸１０の開放時に、戸板１１，１２が互いにほぼ完全に折り畳まれ得るので、開口部１４のほぼ最大の開放幅が得られることになる。
【産業上の利用可能性】
【００３５】
本発明はその趣旨を逸脱しない範囲において様々な形態で実施することができる。
例えば、上述した実施形態においては、折戸１０は、二枚の戸板１１，１２から構成されているが、複数対の戸板から構成されていてもよく、この場合、スライド蝶番１３により開口部１４の一側に揺動可能に支持される戸板とは反対側の戸板に対して本発明によるガイド部材２０を取り付けることができる。
【００３６】
上述した実施形態においては、ガイド部材２０の揺動軸２４は、その周面から突出する突条部２４ｃを備えており、この突条部２４ｃが取付部材２１のスリーブ部２１ｃに形成された係合溝２４ｄに係合することにより、軸の周りに回動しないようになっているが、これに限らず、揺動軸２４が、突条部２４ｃの代わりに、円形以外の特定形状の断面を有し、これに対応して、取付部材２１のスリーブ部２１ｃが、この特定形状と相似であるなど、この特定形状の回転を係止する断面形状を有することにより、揺動軸２４の回転を阻止することが可能である。
【００３７】
上述した実施形態においては、ガイド部材２０が、ガイドレール１６に沿って走行するガイドローラ２２を備えているが、これに限らず、ガイドレール１６に沿って摺動するガイドブロックであってもよい。
【００３８】
上述した実施形態においては、ガイド部材２０は、戸板１２の右端付近の上部に取り付けられているが、これに限らず、戸板１２の右端付近において、下部あるいは他の部分に取り付けられていてもよい。
【００３９】
以上述べたように、本発明によれば、簡単な構成により、スライド蝶番により支持された折戸でも確実に全開位置まで案内することができるようにした、極めて優れた折戸用ガイド部材が提供される。
【符号の説明】
【００４０】
１０    折戸
１１，１２    戸板
１３    スライド蝶番
１４    開口部
１５    蝶番
１６    ガイドレール
２０    折戸用ガイド部材
２１    取付部材
２１ａ  支持部
２１ｂ  スリーブ部
２１ｃ  係合溝
２１ｄ  段部
２２    ガイドローラ
２３    支持アーム
２３ａ  取付穴
２４    揺動軸
２４ａ  上端部
２４ｂ  上部領域
２４ｃ  突条部
２４ｄ  フランジ部
２５    回転軸
２６    圧縮コイルバネ
【図１】
2014234683.tif 000003
【図２】
2014234683.tif 000004
【図３】
2014234683.tif 000005
【図４】
2014234683.tif 000006
【図５】
2014234683.tif 000007
【図６】
2014234683.tif 000008
【図７】
2014234683.tif 000009
【図８】
2014234683.tif 000010
【図９】
2014234683.tif 000011
【図１０】
2014234683.tif 000012
【図１１】
2014234683.tif 000013
【図１２】
2014234683.tif 000014